(57)【特許請求の範囲】
【請求項１】
ユーザグループ（５）がユーザ端末（３）によって選択されるステップと、
選択されたオーディオビジュアルプログラムコンテンツフィードからシーケンスが、マーカを使用してそれらを特定することによって、ユーザ端末（３）によって選択されるステップと、
選択されたオーディオビジュアルプログラムコンテンツフィードに対するマーカを使用してシーケンスがサーバによって抽出されるステップと、
前記グループのユーザが前記データベース（９）からの前記保存されているシーケンスを評価することが可能であるように、前記グループ（５）のユーザがアクセス可能なデータベース（９）に抽出されたシーケンスが保存されるステップと
を含むことを特徴とする、オーディオビジュアルプログラムコンテンツ準備方法。
【請求項２】
選択されたシーケンスが既に抽出されているかどうかを判定し、そうである場合にそれらを再度、抽出しないようにするために、抽出される選択されたシーケンスを特定するマーカと、データベース（９）に保存されている抽出されたシーケンスのマーカとを比較するステップ（１８）を含むことを特徴とする、請求項１に記載のオーディオビジュアルプログラムコンテンツ準備方法。
【請求項３】
嗜好パラメータが、データベース（９）に保存されている少なくとも１つの抽出されたシーケンスと関連付けられていることを特徴とする、請求項１または２のいずれか一項に記載のオーディオビジュアルプログラムコンテンツ準備方法。
【請求項４】
嗜好パラメータが、グループ（５）のユーザによって送信された個々の嗜好パラメータに基づいて計算されることを特徴とする、請求項３に記載のオーディオビジュアルプログラムコンテンツ準備方法。
【請求項５】
最も高い嗜好パラメータを有するシーケンスが選択され、それにより、グループ（５）のユーザによって好まれるこれらのシーケンスを組み合わせた１つのコンテンツが生成されるステップ（２５）をさらに含むことを特徴とする、請求項４に記載のオーディオビジュアルプログラムコンテンツ準備方法。
【請求項６】
グループ（５）のユーザによって好まれるシーケンスが、次に、グループ（５）のユーザがアクセス可能なデータベース（１１）に保存されることを特徴とする、請求項５に記載のオーディオビジュアルプログラムコンテンツ準備方法。
【請求項７】
オーディオビジュアルプログラムコンテンツに識別および説明の情報が追加されるステップ（１６）を含むことを特徴とする、請求項５または６のいずれか一項に記載のオーディオビジュアルプログラムコンテンツ準備方法。
【請求項８】
瞬間ｔに少なくとも１つのシーケンスが選択されればいつでも、そのシーケンスが抽出されるのは、瞬間ｔの前の所定の瞬間（ｔ−ｄ１）で始まり、瞬間ｔの後の所定の瞬間（ｔ＋ｄ２）まで継続することを特徴とする、請求項１から７のいずれか一項に記載のオーディオビジュアルプログラムコンテンツ準備方法。
【請求項９】
シーケンスを抽出するステップが、シーケンスのカットを検出するステップを含むことを特徴とする、請求項１から７のいずれか一項に記載のオーディオビジュアルプログラムコンテンツ準備方法。
【請求項１０】
請求項１から９のいずれか一項に記載の方法を実装するオーディオビジュアルプログラムコンテンツ準備システムであって、
ユーザのグループ（５）を選択する手段、
選択されたオーディオビジュアルプログラムコンテンツフィードからシーケンスを、マーカを使用してそれらを特定することによって選択する手段、および
前記グループ（５）のユーザがアクセス可能なデータベース（９）に保存されているシーケンスを評価する手段
を含む少なくとも１つの端末（３）と、
選択されたオーディオビジュアルプログラムコンテンツフィードに対してマーカを使用してシーケンスを抽出する手段、および
抽出されたシーケンスを前記グループ（５）のユーザがアクセス可能なデータベース（９）に保存する手段
を含むサーバ（７）と
を含むことを特徴とする、オーディオビジュアルプログラムコンテンツ準備システム。
【請求項１１】
請求項１０に記載のオーディオビジュアルプログラムコンテンツ準備システムのための端末であって、
ユーザのグループ（５）を選択する手段と、
選択されたオーディオビジュアルプログラムコンテンツフィードからシーケンスを、請求項１０に記載のオーディオビジュアルプログラムコンテンツ準備システムのサーバ（７）に送信されることが意図されているマーカを使用してそれらを特定することによって、選択する手段と、
前記グループ（５）のユーザがアクセス可能なデータベース（９）に保存されているシーケンスを評価する手段と
を含むことを特徴とする、端末。
【請求項１２】
請求項１０に記載のオーディオビジュアルプログラムコンテンツ準備システムのためのサーバであって、
請求項１０に記載のオーディオビジュアルプログラムコンテンツ準備システムの端末（３）によって送信されるマーカを使用して、選択されたオーディオビジュアルプログラムコンテンツフィードからシーケンスを抽出する手段と、
請求項１０に記載のオーディオビジュアルプログラムコンテンツ準備システムの端末（３）から選択されたグループ（５）のユーザがアクセス可能なデータベースに、抽出されたシーケンスを保存する手段と
を含むことを特徴とする、サーバ。
【発明の詳細な説明】
【技術分野】
【０００１】
本発明は、オーディオビジュアルプログラムコンテンツ準備方法に関する。さらに、本発明はオーディオビジュアルプログラムコンテンツ準備システムおよびそのような方法を実装する端末およびサーバに関する。
【背景技術】
【０００２】
現在、オーディオビジュアルの分野では、テレビジョン、コンピュータまたは携帯電話のような端末上で見るために供給される複数のオーディオビジュアルプログラムの中からユーザが選択することが可能である。
【０００３】
増加するチャネルおよびサービスは、ユーザにますます多くの選択肢を提供する。
【０００４】
ユーザは、提供されるチャネルまたはサービスの中から選択することを可能にするために、例えば、電子サービスガイドまたはＥＳＧにアクセスすることが可能である。
【０００５】
しかしながら、これらの可能な選択肢の全ての中からユーザが所与の供給の範囲内で特定のシーケンスを選択することは不可能であり、そして他のユーザとそれを共有することは不可能である。
【先行技術文献】
【特許文献】
【０００６】
【特許文献１】米国特許出願公開第２００３／１２０４９５号明細書
【特許文献２】米国特許出願公開第２００３／１８７９１９号明細書
【特許文献３】米国特許出願公開第２００７／０６１８５３号明細書
【特許文献４】米国特許出願公開第２００２／１９４６０７号明細書
【発明の概要】
【発明が解決しようとする課題】
【０００７】
本発明は、それゆえに、ユーザが自分の嗜好を共有することを可能にする方法を開示することを意図する。
【課題を解決するための手段】
【０００８】
そのために、本発明の目的は、オーディオビジュアルプログラムコンテンツ準備方法であり、前記方法は、それが以下のステップ：
ユーザのグループが選択されるステップと、
選択されたオーディオビジュアルプログラムコンテンツフィードからシーケンスが、マーカを使用してそれらを特定することによって選択されるステップと、
選択されたオーディオビジュアルプログラムコンテンツフィードに対するマーカを使用してシーケンスが抽出されるステップと、
前記グループのユーザが前記データベースからの前記保存されているシーケンスを評価することが可能であるように、前記グループのユーザがアクセス可能なデータベースに抽出されたシーケンスが保存されるステップと
を含むことを特徴とする。
【０００９】
このやり方によって、全てのユーザが簡単にかつ容易にグループに加入し、全てのチャネルを一緒にしてオーディオビジュアル信号を選択し、それらをグループの他のユーザと共有し、最も怖いまたは最も感情が高ぶる瞬間等の最高の瞬間を楽しむことを可能にして、それにより、場合によっては、ユーザにより選択されたシーケンスを介していくつかの番組を発見することを可能にする。
【００１０】
１つの好適な実施形態では、オーディオビジュアルプログラムコンテンツ準備方法は、選択されたシーケンスが既に抽出されているかどうかを判定し、そうである場合にそれらを再度、抽出しないようにするために、抽出される選択されたシーケンスを特定するマーカと、データベースに保存されている抽出されたシーケンスのマーカとを比較するステップを含む。
【００１１】
嗜好パラメータが、データベースに保存されている少なくとも１つの抽出されたシーケンスと関連付けられている点が有利である。
【００１２】
嗜好パラメータが、前記グループのユーザによって送信された個々の嗜好パラメータに基づいて計算されることが好ましい。
【００１３】
オーディオビジュアルプログラムコンテンツ準備方法は、最も高い嗜好パラメータを有するシーケンスが選択され、それにより、前記グループのユーザによって好まれるこれらのシーケンスを組み合わせた１つのコンテンツが生成されるステップを含む点が有利である。
【００１４】
前記グループのユーザによって好まれるシーケンスを組み合わせたコンテンツが、前記グループのユーザがアクセス可能なデータベースに保存される点が好ましい。
【００１５】
１つの有利な代替実施形態では、オーディオビジュアルプログラムコンテンツ準備方法は、オーディオビジュアルプログラムコンテンツに識別および説明の情報が追加されるステップを含む。
【００１６】
１つの好適な実施形態では、瞬間ｔに少なくとも１つのシーケンスが選択され、このシーケンスが、瞬間ｔの所定の時間前から始まり、瞬間ｔの所定の時間後に終わるように抽出される。
【００１７】
別の好適な実施形態では、シーケンスを抽出するステップが、シーケンスのカットを検出するステップを含む。
【００１８】
本発明の別の目的は、前述した方法を実装するオーディオビジュアルプログラムコンテンツ準備システムであり、それが、
ユーザのグループを選択する手段、および
選択されたオーディオビジュアルプログラムコンテンツフィードからシーケンスを、マーカを使用してそれらを特定することによって選択する手段
を含む少なくとも１つの端末と、
選択されたオーディオビジュアルプログラムコンテンツフィードに対してマーカを使用してシーケンスを抽出する手段、および
抽出されたシーケンスを前記グループのユーザがアクセス可能なデータベースに保存する手段
を含むサーバと
を含むことを特徴とする。
【００１９】
本発明のさらに別の目的は、前述したオーディオビジュアルプログラムコンテンツ準備システムに関する端末であり、前記端末は、それが、
ユーザのグループを選択する手段と、
選択されたオーディオビジュアルプログラムコンテンツフィードからシーケンスを、前述したオーディオビジュアルプログラムコンテンツ準備システムのサーバに送信されることが意図されているマーカを使用してそれらを特定することによって、選択する手段と
を含むことを特徴とする。
【００２０】
最後に、本発明の別の目的は、前述したオーディオビジュアルプログラムコンテンツ準備システムに関するサーバであり、前記端末は、それが、
前述したオーディオビジュアルプログラムコンテンツ準備システムの端末によって送信されるマーカを使用して、選択されたオーディオビジュアルプログラムコンテンツフィードからシーケンスを抽出する手段と、
前述したオーディオビジュアルプログラムコンテンツ準備システムの端末からの選択されたグループのユーザがアクセス可能なデータベースに、抽出されたシーケンスを保存する手段と
を含むことを特徴とする。
【００２１】
本発明の他の特性および利点は、限定でない例として与えられる以下の説明を、添付の図面を参照して、読解することによって明らかになるであろう。
【図面の簡単な説明】
【００２２】
【図１】本発明によるオーディオビジュアルプログラムコンテンツ準備システムの概略的な構造を模式的に示す説明図である。
【図２】本発明によるオーディオビジュアルプログラムコンテンツ準備方法の連続的なステップを、それらを実行する図１に示される準備システムの構造に関連して示す説明図である。
【図３】本発明によるオーディオビジュアルプログラムコンテンツ準備方法の連続的なステップを連続的に示す説明図である。
【図４】第１の実施形態によるシーケンス抽出のステップを示す説明図である。
【図５】第２の実施形態によるシーケンス抽出のステップを示す説明図である。
【発明を実施するための形態】
【００２３】
図１は、オーディオビジュアルプログラムを送信し、さらに、コンテンツ管理システムまたはＣＭＳと同様に、ユーザが、例えば、種々のチャネル上にそれらの時間、ジャンル、その他に基づいてスケジューリングされた種々のプログラムを視聴するために閲覧することを可能にする電子サービスガイド（またはＥＳＧ）をユーザに提供する、テレビジョンネットワーク１を図示する。
【００２４】
このテレビジョンネットワーク１は、本発明のオーディオビジュアルプログラムコンテンツ準備方法を実装するオーディオビジュアルプログラムコンテンツ準備システムに接続されている。
【００２５】
このオーディオビジュアルプログラムコンテンツ準備システムは、テレビジョンネットワーク１によって送信されるオーディオビジュアルプログラムコンテンツにアクセスするための端末３を含む。この端末は、例えば、テレビジョン、コンピュータ、携帯電話、または携帯情報端末（ＰＤＡ）であってよい。
【００２６】
端末３のユーザは、「家族」または「友達」等の１つまたは複数のユーザグループに所属してよい。これらのユーザグループは、例えば、インターネットのコミュニティと多少類似している。そのようにすることによって、端末３は、ユーザグループ５を選択する手段を含む。
【００２７】
さらに、グループ５の１人または複数人のユーザは管理者である。この立場は、インターネットのディスカッションフォーラムの議長と多少類似しており、即ち、グループ内での何らかのやりとりを制御および管理する。
【００２８】
オーディオビジュアルプログラムコンテンツ準備システムは、テレビジョンネットワーク１および端末３の両方に接続されているサーバ７をさらに含む。
【００２９】
オーディオビジュアルプログラムコンテンツ準備システムのユーザが、所与の、即ち、選択されたオーディオビジュアルプログラムコンテンツフィード内でのプログラムを視聴する間に自分が興味深いとみなすシーケンスを選択することを可能にするために、端末３が、シーケンスを、サーバ７に送信されることが意図されたマーカを使用してそれらを特定することによって、選択する手段を含む。
【００３０】
サーバ７は、循環メモリを使用すること等によって、ユーザによって視聴されたプログラムを保存する手段を含む。コンテンツは、所定期間ｄ１以上の期間の間、保存されたままである。サーバ７は、保存されている視聴されたプログラムから特定のシーケンスを抽出することが可能であるように、端末３によって送信されたマーカを使用して特定のシーケンスを抽出する手段をさらに含む。
【００３１】
１つの特定の実施形態では、サーバ７から抽出する手段が、瞬間ｔ−ｄ１に始まり、瞬間ｔ＋ｄ２まで継続する、瞬間ｔの選択されたシーケンスを抽出することが可能であるように、時間を解析する手段を含む。
【００３２】
これらの瞬間ｔ−ｄ１およびｔ＋ｄ２は、瞬間ｔの前後に経過する固定時間ｄ１およびｄ２によって決定される。
【００３３】
別の特定の実施形態では、サーバ７から抽出する手段が、シーケンスのカットを検出する手段を含む。このやり方によって、ユーザが瞬間ｔでのシーケンスを選択する場合に、シーケンスのカットを検出する手段が、保存されている視聴されたプログラム内で、シーケンスの始まりおよび終わりを検出することが可能であり、それにより選択されたシーケンスを抽出することが可能になる。
【００３４】
しかしながら、１つの実施形態または他の実施形態で抽出された後、シーケンスがサーバ内で、またはユーザによって調整されてよい。
【００３５】
サーバ７は、グループ５のユーザがアクセス可能なデータベース９に抽出されたシーケンスを保存する手段をさらに含み、それにより、グループ５のユーザが保存されているシーケンスを共有および視聴することを可能にする。
【００３６】
しかしながら、同じシーケンスが複数回抽出されることを避けるために、データベース９に保存されている抽出されたシーケンスのマーカを使用して、抽出するようにユーザによって選択されたシーケンスを特定するマーカを比較する手段をサーバ７が含む。
【００３７】
ユーザによって選択されたシーケンスがデータベース９に一度、保存されると、ユーザは、これらの保存されているシーケンスを、個々におよびグループとしてのいずれでも、評価することが可能である。
【００３８】
そのようにするために、端末３が、データベース９に保存されているシーケンスに個々の嗜好パラメータを割り当てる手段を含み、グループ５の全てのユーザが、自分が視聴したシーケンスを個々に評価することを可能にする。
【００３９】
サーバ７が、データベース９に保存されているシーケンスに対して、グループ５全体を代表する評価を与えることを可能にする、嗜好パラメータを割り当てる手段をさらに含む。
【００４０】
１つの実施形態では、これらの割り当て手段が、グループ５のユーザによって送信された様々な個々のパラメータを平均化する計算手段を含む。
【００４１】
サーバ７が、
データベース９に保存されているシーケンスに割り当てられる嗜好パラメータを比較する手段と、
最も高い嗜好パラメータを有するシーケンスを選択する手段と、
グループ５のユーザによって好まれるこれらのシーケンスを組み合わせた１つのコンテンツを生成する手段と
を含む点が有利である。
【００４２】
このやり方で生成されるコンテンツがグループ５の代表である。
【００４３】
サーバ７が、グループ５のユーザによって好まれるシーケンスを組み合わせたコンテンツを、グループ５のユーザがアクセス可能なデータベース１１に保存する手段をさらに含む。
【００４４】
ユーザによって好まれるシーケンスを組み合わせたこのコンテンツがデータベース１１に保存される際に、ユーザが、データベース９に保存されているシーケンスを評価するのと同様のやり方でこのコンテンツを評価してよい。
【００４５】
そのようにするために、端末３が、データベース１１に保存されているコンテンツに個々の嗜好パラメータを割り当てる手段を含む。
【００４６】
同様に、サーバ７が、データベース１１に保存されているコンテンツに対して、グループ５全体を代表する評価を与えることを可能にする、嗜好パラメータを割り当てる手段を含む。
【００４７】
グループ６によっておよび全てのユーザグループによって評価された最高のシーケンスおよびコンテンツを順位付けするために、かつそれにより、最高のシーケンスを選択したユーザおよびグループに優先権を与えるために、データベース９に保存されているシーケンスに、およびデータベース１１に保存されているコンテンツに割り当てられた嗜好パラメータを解析する手段をサーバ７がさらに含むことが好ましい。各ユーザは、いずれのシーケンス、コンテンツ、ユーザ、およびグループが賞を獲得したかを知ることが可能である。
【００４８】
サーバ７が、オーディオビジュアルプログラムコンテンツを特定および説明するために使用された情報を付加する手段を含む。この情報が、例えば、メタデータを含んでよい。
【００４９】
より正確には、コンテンツが、ファイルの始まりもしくは終わり、またはそのための識別等のタグを含む。これらのタグは、シーケンスを抽出する目的等に対して、情報を検索する能力を向上させ、電子サービスガイド（ＥＳＧ）によって提供されるコンテンツ管理システム（ＣＭＳ）に予め記憶されている。
【００５０】
シーケンスを抽出する際に、オーディオビジュアルプログラムコンテンツのメタデータが、抽出されたシーケンスに関連付けられる。
【００５１】
そのうえ、シーケンスは、それらが抽出されたオーディオビジュアルプログラムをブロードキャストするチャネルに関連付けられた情報を含む。
【００５２】
最後に、サーバ７が、法的要件に背かないように、かつ法的要件を遵守するように、シーケンスおよびコンテンツを制御する手段を含む点が有利である。これらの制御手段が、グループ５の管理者によって、およびサービスプロバイダによって使用される。
【００５３】
図２および図３に示されるように、オーディオビジュアルプログラムコンテンツ準備方法が、以下で詳述される複数のステップを含む。
【００５４】
第１のステップ１３の際に、ユーザが１つまたは複数のグループ５を端末３から選択する。
【００５５】
ユーザがテレビプログラムを視聴することを決定する場合、ステップ１５の際に、ユーザは、実際にオーディオビジュアルプログラム供給を選択し、サーバ７が、循環メモリを使用する等によって、視聴されたプログラムを保存する。このコンテンツは、所定時間ｄ１以上の時間の間、保存されたままである。
【００５６】
このプログラムを視聴している間、１つまたは複数のシーケンスが特にユーザの興味を引いた場合、ユーザは、これらのシーケンスを、マーカを使用してそれらを特定することによって、選択する、これがステップ１７である。
【００５７】
ステップ１７が完了すると、ステップ１９の際に、およびステップ２１の際に、マーカを使用してシーケンスが抽出され、抽出されたシーケンスは、グループ５のユーザがアクセス可能なデータベース９に保存される。
【００５８】
それにより、ユーザは、オーディオビジュアルプログラムを見ながら、自分が抽出を希望するシーケンスを直接的に選択することが可能であり、このシーケンスが一度、保存されると、それは、グループ５に属する他の全てのユーザと簡単におよび容易に共有され得る。
【００５９】
オーディオビジュアルプログラムコンテンツ準備方法は、選択されたシーケンスが既に抽出されたか判定するように、および、そうである場合にそれらを再度、抽出しないように、抽出される選択されたシーケンスを特定するマーカを、データベース９に保存されている抽出されたシーケンスのマーカと比較するステップ１８を含む点が有利である。
【００６０】
データベース９は、不必要に過負荷にならず、さらにそれはそのデータベースの管理をより容易にする。
【００６１】
説明されている実施形態では、オーディオビジュアルプログラムコンテンツ準備方法は、サーバ７が、データベース９に保存されている少なくとも１つの抽出されたシーケンスに嗜好パラメータを関連付けたステップ２３を含む。従って、方法は、データベース９に保存されている異なる抽出されたシーケンスが評価されることを可能にする。
【００６２】
ステップ２２の際に、グループ５のユーザによって送信された個々の嗜好パラメータに基づいて嗜好パラメータが計算されることが好ましい。それゆえに、嗜好パラメータはグループ５の全てのユーザの代表である。
【００６３】
ステップ２３の後に、オーディオビジュアルプログラムコンテンツ準備方法は、グループ５のユーザによって好まれるこれらのシーケンスを組み合わせた１つのコンテンツを生成するために、サーバ７が最高の嗜好パラメータでシーケンスを選択するステップ２５を含む点が有利である。
【００６４】
「最高の」、即ち、グループ５のユーザによって評価されたオーディオビジュアルプログラムの最高の瞬間のコレクションが簡単に生成され、グループ５のユーザに対してカスタマイズされる。
【００６５】
そのような１つのコンテンツは、各々が約１５秒続く複数のシーケンスを備える約３分の長さであってよい。
【００６６】
グループ５のユーザによって好まれるシーケンスを組み合わせたコンテンツは、次に、ステップ２７の際に、グループ５のユーザがアクセス可能なデータベース１１に保存される。
【００６７】
それにより、グループ５の各ユーザは、データベース９に保存されているシーケンスにアクセスするのと同様なやり方で、このコンテンツに無制限にアクセスし得る。
【００６８】
オーディオビジュアルプログラムコンテンツ準備方法が、オーディオビジュアルプログラムコンテンツに識別および説明の情報、または「メタデータ」が追加されるステップ１６を含むことが好ましい。このメタデータは、シーケンスを抽出するステップ１９の際に、シーケンスに関連付けられる。
【００６９】
図４に示されるように、特定の実施形態では、シーケンスを抽出するステップ１９が時間ベースである。瞬間ｔにユーザによってあるシーケンスが選択される場合、２つの固定時間ｄ１およびｄ２が、選択されたシーケンスに対して瞬間ｔの前後で各々測定される。
【００７０】
次に、このシーケンスが抽出されるのは、瞬間ｔの前の瞬間ｔ−ｄ１で始まり、瞬間ｔの後の瞬間ｔ＋ｄ２まで継続する。これらの２つの瞬間ｔ−ｄ１およびｔ−ｄ２は、固定時間ｄ１およびｄ２によって決定される。次に、通常のシーケンスがデータベース９に保存される準備ができる。
【００７１】
図５で示される別の実施形態では、シーケンスを抽出するステップ１９が、シーケンスのカットの検出に基づいている。保存されている視聴されたプログラムの、瞬間ｔにユーザによってシーケンスが選択されればいつでも、サーバ７の検出手段が選択されたシーケンスの始まりおよび終わりを検出する。次に、このシーケンスが、データベース９に保存されるように完全に抽出される。
【００７２】
このように、そのようなオーディオビジュアルプログラムコンテンツ準備方法を用いて、個人がユーザグループのメンバーであってよく、ユーザがオーディオビジュアルプログラムを見ながらユーザ自身で直接的に選択したシーケンスを共有および評価し、ユーザおよびその代表のためにカスタマイズされた、ユーザの評価に基づく「最高の」コンテンツを生成し、そして賞を与えるために、再度、この「最高の」コンテンツを評価し得る。オーディオビジュアルプログラムコンテンツ準備方法の全てのステップは自動的であり、複雑なアプリケーションは何ら必要としない。
【符号の説明】
【００７３】
１  テレビジョンネットワーク
３  端末
５  ユーザグループ
７  サーバ
９、１１  データベース
１３、１５、１６、１７、１８、１９、２１、２２、２３、２５、２７  ステップ
【図１】
0005336839.tif 000002
【図２】
0005336839.tif 000003
【図３】
0005336839.tif 000004
【図４】
0005336839.tif 000005
【図５】
0005336839.tif 000006